(57)【要約】      （修正有）【課題】  オーニングを取り付けようとするスペースに合わせて張り出し量を変更したり、日陰量の調整ができるようにする。【解決手段】  アーム３の基端部３ａを支えるスライダ２３と、アーム３の日除けシート２を取り付けた部分３ｂとスライダ２３との間に回転自在に連結される補助アーム５と、補助アーム５の他端側５ａを回転自在に取付けると共にアーム３のスライダ２３を摺動自在に支持し上下方向にガイドするスライドレールを備える支柱４と、スライダ２３を支柱４に対して複数の位置で固定可能とする固定手段とを備え、外壁１５に取付けられる支柱４と補助アーム５とによってアーム３を支持し、アーム３を倒して日除けシート２を張り出す際にアーム３の基端部３ａのスライダ２３を支柱４のスライドレールに沿って上昇させながら当該アーム３の先端３ｂ側を水平方向に突き出させる。【選択図】  図３
2005023761.tif 000002
【特許請求の範囲】
【請求項１】
巻き戻し機構により自動的に巻き上げられる日除けシートをアームを使って家屋等の外壁より張り出させるオーニングにおいて、前記アームの基端部を支えるスライダと、前記アームの前記日除けシートを取り付けた部分と前記スライダ部との間に回転自在に連結される補助アームと、前記補助アームの他端側を回転自在に取付けると共に前記アームのスライダを摺動自在に支持し上下方向にガイドするスライドレールを備える支柱と、前記スライダを前記スライドレールに対して複数の位置で固定可能とする固定手段とを備え、前記外壁に取付けられる前記支柱と前記補助アームとによって前記アームを支持し、前記アームを倒して前記日除けシートを張り出す際に前記アームの基端部の前記スライダを前記支柱のスライドレールに沿って上昇させながら当該アームの先端側を水平方向に突き出させ、前記固定手段によって固定可能な複数の位置のいずれかに前記スライダを固定させて前記アームを前記支柱に固定することを特徴とするオーニング。
【請求項２】
前記固定手段は、前記スライダに出没可能に搭載されたロケートピンと前記ロケートピンを嵌入する複数の穴を前記支柱の高さ方向に離して設け前記スライダの移動範囲において前記支柱に備えられたロックプレートとからなることを特徴とする請求項１記載のオーニング。
【請求項３】
前記ロケートピンは前記アームに備えられたレバーとワイヤを介して連繋され、前記レバーによる遠隔操作によって出入り自在とされていることを特徴とする請求項１または２記載のオーニング。
【発明の詳細な説明】
【技術分野】
【０００１】
本発明はオーニングに関する。さらに詳述すると、本発明はアームを動かして日除けシートの張り出しと収容を可能とした変形可能なオーニングの構造の改良に関する。
【背景技術】
【０００２】
家屋のベランダやテラスあるいは店舗入口などにおいては、外壁や屋外に面した窓枠あるいは柱など（本明細書ではこれらを総称して「外壁」と呼ぶ）から外へ向け張り出されるシート状の日除け（本明細書では「日除けシート」と呼ぶ）を外壁から突き出たアームで支持するオーニングが従来から使用されている。
【０００３】
この種のオーニングとしては、例えば図１４に示すように、水平方向に屈伸可能な＜形のアーム１０３を左右に配置し、それら一対のアーム１０３の先端の間に掛け渡された前枠１０６に巻取ドラム１０４から引き出された日除けシート１０２の前端縁を取付けることによって、アーム１０３の伸展により日除けシート１０２を張り出し、折り畳むことにより外壁側に引き込むようにしているもの（例えば特開平７−３０５４６７号公報参照）が現在多用されている。このオーニング１０１は、アーム１０３を折り畳むと同時に巻取ドラム１０４で日除けシート１０２を巻き上げるようにしており、使わない時にはアーム１０３を折り畳んで日除けシート１０２を巻取ドラム１０４に巻き取ることにより、風雨や日差しにより日除けシートが劣化したり強風でアームが破損したりするのを防ぐようにしている。尚、アーム１０３や巻取ドラム１０４は、張り出された日除けシート１０２の面と平行な横長のアーム支持枠１０５により支持されて外壁に取り付けられている。即ち、左右一対のアーム１０３と前枠１０６とアーム支持枠１０５並びに日除けシート１０２とで構成されるあたかも１枚の板が外壁に垂直に取り付けられるかの如く取り付けられている。
【０００４】
また、図１５に示すように、外壁２０２に対しブラケット２０６を介して鉛直面内で傾斜可能に取り付けられた左右一対のアーム２０５で日除けシート２０４を支持するオーニングもある（例えば特開２００３−２０７６７号公報参照）。このオーニングにおいては、アーム２０５を倒すことによってアーム２０５の先端と外壁２０２との間に日除けシート２０４を張り出し、アーム２０５を起こして再び壁側に寄せることによって収容状態とすることができる。この日よけの場合には、布地ロール用ケーシング２０３から引き出された日除けシートの張りを一体に保つため、風などによるアーム２０５の揺動を規制する磁石２１０を備えている、そして、アーム２０５の下端に備えられた鉄製対応部材２１３を磁石２１０で吸着して固定し、突風などが作用して日除けシートが煽られたときにアーム２０５を自由に動けるようにしたものである。
【特許文献１】特開平７−３０５４６７号
【特許文献２】特開２００３−２０７６７号
【発明の開示】
【発明が解決しようとする課題】
【０００５】
しかしながら、あたかも１枚の板が外壁に垂直に取り付けられるような図１４に示す構造のオーニングでは、強風に煽られたときなどにアーム支持枠１０５と外壁との取付部に局所的な負荷がかかることから、外壁には相当の強度が要求される。したがって、オーニングが取付可能な外壁が限られる問題がある。また、オーニング構造そのものも、外壁とほぼ平行な軸回りに屈曲する＜形のアーム１０３を横長のアーム支持枠１０５と前枠１０６とで支持している構造なので、前後方向即ち外壁面に対して接近離反する方向の力に対しては屈曲により過大な外力を受け流すことができるが、突風に煽られたときなどのように壁面に沿った過大な力を受ける場合には曲がることができないので、まともに力を受けて外壁やオーニングそのものが損壊する虞がある。
【０００６】
また、アーム１０３を長く形成して日除けシート１０２の張り出し量を増やそうとすると、日除けシート１０２に沿って横向きに配置されるためモーメント作用方向には狭いアーム支持枠１０５を介して外壁に対し大きなモーメントがかかるため、オーニング１０１の大型化が難しいという問題もある。
【０００７】
また、アームを倒して日除けシートを張り出す図１５の構造のオーニングにおいては、図７の屈伸アーム方式のオーニングの場合に比べて外壁２０２に対するアーム取付位置（ブラケット２０６の取付位置）がかなり低くなるため、日除けシート２０４の左右で斜めに飛び出したアーム２０５が日除けシート２０４の下の通行や作業の妨げとなることもあり、オーニングの下のスペースの利用に制限を受けることがある。このため、アーム２０５の外壁２０２への取付位置を高くすることが望まれるが、取付位置を高くすることはアーム２０５の長さを短くすることとなり、オーニングの大型化を難しくするし開閉操作も困難となる問題を有している。また、アーム２０５を長くして低い位置に取付けるように設定すれば、オーニングの大型化も可能となるが、アーム２０５の存在が日除けシート２０４の下の通行や作業の自由を妨げることとなるし、場合によってはぶつかったりして事故の原因ともなる虞があり好ましくない。
【０００８】
また、日除けシートの引き出し量を任意の位置で止めることができず、収納状態か最大引き出し状態かの２位置である。このため、オーニングを取り付けようとするスペースに合わせて張り出し量を変更したり、日陰量の調整ができない。しかも、購入時にオーニング取付スペースに応じた寸法のものを選択しなければならず、購入間違いを招くことがある。
【０００９】
そこで、本発明は、強度が低い外壁、例えば従来の屈伸アーム方式のオーニングを取り付けることができないような外壁への取付が可能となるオーニングを提供することを目的とする。さらに本発明は、日除けシートを大きく張り出す構造に向き、かつ使用時においてアームが邪魔にならないオーニングを提供することを目的とする。更に、オーニングを取り付けようとするスペースに合わせて張り出し量を変更したり、日陰量の調整が可能なオーニングを提供するものである。
【課題を解決するための手段】
【００１０】
かかる目的を達成するため、請求項１記載の発明は、巻き戻し機構により自動的に巻き上げられる日除けシートをアームを使って家屋等の外壁より張り出させるオーニングにおいて、アームの基端部を支えるスライダと、アームの日除けシートを取り付けた部分とスライダとの間に回転自在に連結される補助アームと、補助アームの他端側を回転自在に取付けると共にアームのスライダを摺動自在に支持し上下方向にガイドするスライドレールを備える支柱と、スライダをスライドレールに対して複数の位置で固定可能とする固定手段とを備え、外壁に取付けられる支柱と補助アームとによってアームを支持し、アームを倒して日除けシートを張り出す際にアームの基端部のスライダを支柱のスライドレールに沿って上昇させながら当該アームの先端側を水平方向に突き出させ、固定手段によって固定可能な複数の位置のいずれかにスライダを固定させてアームを支柱に固定するようにしている。
【００１１】
したがって、日除けシートを支えるアームは補助アームと支柱とでトラスを構成して支持され、日除けシートに対して斜交いのように機能して外壁に沿って働く力に対して強度を発揮する一方、アームと補助アームとが支柱を介して外壁に取付けられることにより、十分に長尺な支柱が外壁を補強する部材として機能すると共にオーニング自体の重量あるいは風から受ける力を分散させて外壁に請け負わせるので、外壁に対して局所的な力が作用しない。
【００１２】
また、このオーニングでは、アームの基端部のスライダをスライドレールに沿って上昇させながら当該アームの先端側を水平方向に突き出させるようにアームを倒して日除けシートを張り出すようにしているので、収納時におけるアームの基端部の位置が相当低い位置となるような長いアームであっても、日除けシートを張り出す時には収納時のアームの基端部の位置よりも相当高い位置にアームが移動し尚かつほぼ水平方向に突き出させられる。しかも、アームを倒すだけで日除けシートを張り出す一方、アームを引き下げて支柱に沿って起立させるだけで日除けシートを巻き取り収納することができる。
【００１３】
また、固定手段によって設定される複数の位置のうちの任意の位置でスライダを止めることにより、オーニングの取付スペースに合わせて張り出し量を変更したり、日陰量の調整を行うことができる。
【００１４】
また、請求項２記載の発明によると、固定手段が、スライダに出没可能に搭載されたロケートピンとこのロケートピンを嵌入する複数の穴を支柱の高さ方向に離して設けスライダの移動範囲において支柱に備えられたロックプレートとから構成されるようにしている。この場合には、ロックプレートに任意の位置に穴をあけ、ユーザーの好みに合わせて簡単に張り出し量を調整することができる。また、ロックプレートを交換することにより、その調整作業は容易に実施できる。
【００１５】
また、請求項３記載の発明によると、ロケートピンはアームに備えられたレバーとワイヤを介して連繋され、レバーによる遠隔操作によって出入り自在とされている。この場合には、アームを掴んだ状態でレバーを操作してロックプレートからロケーションピンを外すと共にその状態を維持しながらオーニングの開閉操作を行うことができる。
【発明の効果】
【００１６】
しかして、請求項１記載のオーニングによると、オーニング自体の重量及び風に煽られたときに外壁にかかる力が支柱によって分散され、外壁へ局所的な力として作用しないことから、従来ならオーニングの取付条件を満たさなかった外壁であっても取付が可能となるし、オーニングそのものを大型化した場合の重量にも耐え得る。しかも、支柱自体が強度のある構造物として機能することからオーニング自体の強度が向上し、寿命が延びると共に外壁を補強することができる。
【００１７】
しかも、日除けシートを張り出す時には収納時のアームの基端部の位置よりも相当高い位置にアームが移動し尚かつほぼ水平方向に突き出させられるので、収納時におけるアームの基端部の位置が相当低い位置となるような長いアームであっても、アームの下に広くかつ高い空間が確保され、通行や作業などの邪魔となることがない。この点からも、長尺なアームを採用してオーニングを大型化することが可能である。また、アームが上へスライドしながらほぼ水平に突き出ることによって日除けシートとアームとを高い位置で張り出すことができるので、覆い被さるような圧迫感や鬱陶しさが少なく開放的なオーニングとなる。
【００１８】
加えて、オーニング設置の自由度が大きく、店舗入口等の形態に合わせやすい。更に、アームを倒すだけで日除けシートを張り出す一方、アームを引き下げ支柱に沿って起立させるだけで日除けシートを巻き取り収納することができ、オーニングの開閉操作が簡単である。
【００１９】
また、アーム基端部をスライドさせる構造と支柱で壁面への負荷を分散させる構造により、従来よりも長尺のアームを採用することが可能となることに加え、風に煽られてもトラス構造で支持されているアームによって強固に支持されると共にアーム基端部を滑動させて上方に受け流すこともできることから、支柱、アーム、補助アーム、さらには外壁に無理な力がかからない。したがって、日除けシートを大きく張り出す構造即ちオーニングの大型化を図ることができる。
【００２０】
また、固定手段によって設定される複数の位置のうちの任意の位置でスライダを止めることができるので、オーニングの取付スペースに合わせて日除けシートの張り出し量を変更したり、日陰量の調整を行うことができる。しかも、オーニングを取り付けようとするスペースに合わせて張り出し量を変更したり、日陰量の調整ができるので、購入時にオーニング取付スペースに応じた寸法のものを選択する必要もなければ（日除けシートの最大引き出し量が異なるオーニングを多品種用意する必要がない）、購入間違いを招くこともない。
【００２１】
請求項２記載のオーニングによると、ロックプレートに任意の位置に穴をあけ、ユーザーの好みに合わせて簡単に張り出し量を調整することができる。また、ロックプレートを交換することにより、その調整作業は容易に実施できる。しかも、ロックプレート自体のロケートピンを嵌入する穴の位置を変更しなくとも、支柱に対するロックプレートの取り付け位置そのものを変更するだけで、オーニングを取り付けようとするスペースに合わせて張り出し量を変更したり、日陰量の調整ができる。
【００２２】
更に、請求項３記載の発明によると、アームを掴んだ状態でレバーを操作してロックプレートからロケーションピンを外すと共にその状態を維持しながらオーニングの開閉操作を行うことができるので、日除けシートの張り出し量の調整操作並びに収納・引き出し操作が容易である。ロケートピンをレバー操作によってロックプレートから外した状態を維持したまま、ハンドルを握ってアームを上げ下げできるので、日除けシートの張り出し量の調整操作並びに収納・引き出し操作がワンタッチで簡単に行える。
【発明を実施するための最良の形態】
【００２３】
以下、本発明の構成を図面に示す実施の形態の一例に基づいて詳細に説明する。
【００２４】
図１〜図９に本発明のオーニングの一実施形態を示す。この実施形態のオーニング１は、日除けシート２を自動的に巻き上げ可能としている巻き戻し機構６と、この巻き戻し機構６に巻き取られた日除けシート２を引き出すアーム３と、該アーム３を上昇端を決めて昇降自在に支持する支柱４と、アーム３を支柱４に対して回転自在に吊り下げる補助アーム５とを備え、アーム３を補助アーム５と支柱４とで支持すると共に補助アーム５とアーム３とを支柱４を介して外壁１５に取付け、アーム３を倒して日除けシート２を張り出す際にアーム３の基端部を支柱４に沿って上昇させながら当該アーム３の先端側を水平方向に突き出させるように構成されている。
【００２５】
ここで、アーム３はその基端部３ａが支柱４内に摺動自在でかつ離脱不能に収容されているスライダ２３によって支持され、かつ中程が支柱４に回転自在に連結されている補助アーム５によって吊り下げられることにより、基端部３ａのスライダ２３をスライドさせて持ち上げることによって先端側を水平方向に突き出させるように支持されている。また、アーム３を支持する左右の支柱４の間には、日除けシート２を巻き取った巻き戻し機構６が支持されている。そして、これらアーム３及び巻き戻し機構６は、左右に配置された支柱４を介して外壁１５に取り付けられている。
【００２６】
支柱４は、図１及び図２に示すように、縦向きに外壁１５に取り付けられ、アーム３を鉛直方向に昇降可能に支持するように設置されている。この支柱４は、図６に示すように、アーム３の基端部３ａに設けられたスライダ２３を内部で滑らせかつ離脱不能に保持するように収容する構造部材例えばチャネル材であり、型鋼やアルミ合金製の押し出し材や引き抜き材などの型材などからなる。この支柱４は、アーム３及び補助アーム５が貫通するための開口部に折り返し部４ａを備え、この折り返し部４ａと対向するレール底部４ｂとの間でスライダ２３のローラ９を転動可能にかつ脱落しないように支持するように設けられている。また、レール底部４ｂ側にも、ローラ９の脱落を防止するためのフランジ４ｃが形成されている。更に、レール底部の中央には、固定手段を構成するロックプレートが収められる凹部（溝）４ｄが設けられている。これら凹部４ｄ並びにフランジ４ｃは、日除けシート２の出し入れに従って摺動するスライダ２３の移動距離と少なくとも同じ長さがあれば足りるが、本実施形態の場合のように押し出し材などで構成されることが経済的にも好適であることから、全長において形成されることが一般的である。
【００２７】
また、支柱４の全長は、少なくともスライダ２３を日除けシート２が所定位置まで張り出されるのに必要な量だけスライドさせるのに必要な長さと補助アーム５を取付けるに必要な長さとを合わせた長さを有していれば良いが、それよりも長尺とすること、例えば図２に示すように支柱４の下端が地面や床面等に届く長さとすることがより好ましい。この場合には、オーニング全体の荷重を外壁１５に広く分散させて負担させることができると同時に床面でも荷重の一部を受けて更に分散させることで外壁１５が受ける負担を軽減することが可能となる。尚、支柱４としてのチャネル材の使用は、断面係数が大きく剛性に優れるので、外壁の補強とアーム及び補助アームの支持を図る上で好ましい。
【００２８】
各支柱４の上端には、図２及び図３に示すように、ブラケット７ａがそれぞれ設けられ、その間で巻き戻し機構６の巻き取り軸６ａを回転自在に支持するように設けられている。そして、その回りをカバー７で覆うことによって、巻き取り軸６ａに巻き取られた日除けシート２を日差しや風雨から保護するように設けられている。カバー７は、図２に示すように左右の支柱４間に跨って配置され、ブラケット７ａにビス止めなどによって固定されている。
【００２９】
また、支柱４にはスライダ２３と当接しこのスライダ２３の上方のスライド端を規定するストッパ片８が備えられている。このストッパ片８は、例えばローラ９が転動する支柱４の折り返し部４ａの内側の壁面にビス止めなどによって取り付けられるＬ形のプレートから成り、ローラ９が転動する折り返し部４ａ並びにフランジ４ｃよりも内側の空間でスライダ２３の先端に設けられているストッパ部材１６と当接するように設けられている。そして、補助アーム５が支柱４の中へ収容されるのをストッパ片８が妨げることなくアーム基端部３ａのスライドを規制するようにされている。このストッパ片８は、ローラ９の保護を兼ねている。
【００３０】
ロックプレート１７は、スライダ２３に出没自在に備えられるロケートピン２４を受け入れる穴１８が少なくとも２カ所以上設けられている。本実施形態の場合には、図示していないが、最大引き出し位置を定める穴とオーニング収納位置を定める穴１８との間に日除けシート２の引き出し位置を調整するための任意の数（少なくとも１つ以上）の穴１８を設けるようにしている。穴１８の数は多いほど、シート引き出し量を細かく調整できる。また穴１８の間隔も一定ピッチに限られず、不等ピッチであけるようにしても良い。穴１８の位置を変えることによって、最大引き出し位置を調整できるし、収納位置を定める穴１８との間に任意の数の穴１８を設けることにより、日除けシート２の引き出し量を任意の位置で止めることができる。さらに、ロックプレート１７をビス１９で固定する場合には、穴１８の位置を変えたロックプレート１７と交換することによって、容易にシート引き出し位置の調整が実施できる。また、支柱４に対するロックプレート１７の取り付け位置を変更することも可能となる。即ち、ロックプレート１７そのものを交換したり、新たな位置に穴１８を加工しなくとも、ロックプレート１７の支柱４に対する取付位置を変更することによってアーム３の最大傾き即ち日よけシートの最大張り出し量などを変更することができる。
【００３１】
本実施例では、ロックプレート１７は１枚のプレート材で構成しているが、これに限られるものではなく、複数枚のプレート１７を支柱４に対してそれぞれ取り付けるようにしてもよい。また、プレート材を別個に支柱４に取り付けずとも、支柱４そのものにスライダ２３のロケートピン２４を受け入れる穴１８を直接設けて固定手段２２を構成するようにしても良い。１枚のプレート材でロックプレート１７を構成する場合には、支柱４の強度を補強することができる。
【００３２】
スライダ２３は、例えば樹脂成形などによって得られたブロックに２対のローラ９と１対のストッパ部材１６を備え、ロケートピン２４を出入り自在に搭載するものである。ロケートピン２４は、先端が球面に形成されると共に後端にコントロールワイヤ２６の係留ボール２５が引っかかるための係留部２４ｄと係留ボール２５を収容するボール受け凹部２４ｂ並びにワイヤー２６ａが通過するワイヤ口２４ｃが形成されている。ワイヤ口２４ｃはボール受け凹部２４ｂに挿入されたワイヤ先端の係留ボール２５が通り抜けない幅のスリットである。また、ロケートピン２４には、ピン出没穴２９よりも大径のフランジ２４ａを後端側に備えており、該フランジ２４ａをばね収容室２８の底面２８ａに当接させることでロケートピン２４の突出を規制し、ロケートピン２４の最大突出量を定める。また、このフランジ２４とばね収容室２８を閉じるブラケット２０の座面との間には、圧縮コイルばね２７が配置され、ロケートピン２４をスライダ２３から突出させる力を常時付勢するように設けられている。更には、コントロールワイヤ２６のアウターケーシング２６ｂを１対の締め付けナット２６ｃによってブラケット２０の座面に固定するようにしている。尚、符号１０は車軸、４３はブラケット２０をスライダ２３に取り付ける固定ねじである。
【００３３】
コントロールワイヤ２６の手元側は、アーム３の中程に設けられているハンドル３０に備えられている操作レバー３１に係留されている。即ち、Ｌ形の操作レバー３１の短辺側に設けられた係留部３４にコントロールワイヤ２６の手元側の係留ボール３５が引っかけられて、連結ピン３３を中心に回転する操作レバー３１の動きによってワイヤ２６ａを引っ張るように設けられている。コントロールワイヤ２６のアウターケーシング２６ｂは１対の締め付けナット３７によって固定板３９に取り付けられている。固定板３９はハンドル３０に設けられているスリット３８に差し込まれてハンドル３０に固定され、締め付けナット３７部分がＵ字形の前後の溝３９に差し込まれるようにセットされて、コントロールワイヤ２６のアウターケーブル２６ｂがハンドル３０に固定されるように設けられている。
【００３４】
ハンドル３０は、ビス３２によってアーム３に取り付けられている。このハンドル３０の形状は特に限定されるものではないが、レバー３１を握りしめながらアーム３を押し引き可能とするように、半環状とすることが好ましい。このハンドル３０はレバー３１の操作とアームの把持を容易にするが、場合によっては設けられないこともある。レバー３１をアーム３側に押すことによってコントロールワイヤ２６が引っ張られるように直接アーム３に取付ければ、アーム３と共にレバー３１を把持してオーニングの開閉操作を行うことができる。
【００３５】
また、アーム３の日除けシート４を取り付けた先端部分３ｂとスライダ２３を備えた基端部３ａとの間、本実施形態の場合にはアームのほぼ中間部３ｃには補助アーム５が回転自在に連結されている。補助アーム５はブラケット１２によってアーム３に連結ピン４０を中心に回転自在に連結されている。尚、図中の符号４１はキャップである。
【００３６】
アーム３は日除けシート２を支持し得る強度を有するものであればどのような形状・構造でも良いが、できるだけ軽量でかつ強度に優れる材質や形状であることが好ましいことは言うまでもない。そこで、本実施形態では、断面矩形状のアルミパイプ材を採用し、その基端部３ａにブラケット２０を介してスライダ２３が備えられている。
【００３７】
また、左右のアーム３はそれぞれの先端部３ｂを前枠１１によって互いに連結され、同期して動作するように設けられている。前枠１１には日除けシート２の先端縁及び必要に応じて前垂れシート４４が止め付けられている。
【００３８】
アーム３の中程を吊り下げる補助アーム５は、その基端部５ａを支柱４に連結ピン４２によって回転可能に連結し、先端部５ｂをアーム３に対してブラケット１２を介して連結ピン４０周りに回転可能に取り付けている。したがって、支柱４に沿ってスライダ２３が摺動することによってアーム３の基端部３ａが上方へ移動する際に、アーム３の先端部３ｂを外壁１５から離す方向に導くような回転を与え、アーム３の先端３ｂ側を外壁１５から水平方向に突き出させるように吊り下げる。この補助アーム５は、図３に示すように、日除けシート２を収納した際に、アーム３を支柱４とほぼ平行に起立させるため、支柱内に収まる幅に形成されているが、必ずしもそのような厚みや断面形状、端部形状に限定されることはない。尚、本実施形態ではアーム３にブラケット１２をビス止めや溶接付けなどで固着し、このブラケット１２に補助アーム５の先端部５ｂを回転可能に取り付けている。
【００３９】
日除けシート２は、特に生地に限定を受けるものではなく、キャンバス地などの一般に使用されているシート材の中から、あるいはそれ以外の新規のシート材の中から適宜選択される。また、日除けシート２はその張り出し側で前枠１１に止め付けられるが、本実施形態のように先端縁より幾分内側を止め付け、止め付け部分から先を図２等に示すように前枠１１から垂れ下がるフラップ４４としてもよい。
【００４０】
また、本実施形態ではこの日除けシート２に適度な張力を与えて巻き上げる巻き戻し機構６を設けることにより、アーム３と補助アーム５を畳むときこの日除けシート２が自動的に巻き取られるとともに、畳んだ後も引き続き日除けシート２が引っ張られてアーム３が倒れないようにしている。巻き戻し機構６の構造は特に図示していないが、例えば本実施形態では、左右のブラケット７ａによって回転可能に支持され日除けシート２が巻き付けられる巻き取り軸と、この巻き取り軸に巻き上げ方向（図３等では時計回り方向）への回転力を付与する図示しないトーションばねとを備えた構造となっている。
【００４１】
以上のような構造のオーニング１によると、オーニングを閉じる場合にはアーム３や補助アーム５を図３に示すように畳むことができ、しかも補助アーム５は支柱４内に収容されて邪魔にならず、アーム３は支柱４の縦溝を覆い隠すように並び立ち簡潔な外観となる。また、アーム３および補助アーム５を畳むことに伴い、日除けシート２は巻き戻し機構６により自動的に巻き取られ、巻き取り軸６ａの周囲に密に巻き付いてカバー７からはみ出すことがない（図３）。したがって、本実施形態のオーニング１は不使用時において非常にコンパクトとなる利点がある。
【００４２】
また、オーニング１を開く場合にはアーム３のハンドル３０を掴んでアーム３を手で外壁１５から離すように倒せば良い。このとき、アーム３は図３に示すように基端部３ａのスライダ２３を支柱４に沿って上昇させながら徐々に倒れ、巻き戻し機構６から日除けシート２を引き出す。また、この動作に伴い補助アーム５は支柱４から引き出されて基端部５ａの軸４２を中心に回動する。そして、アーム３を所定角度まで引き倒した状態でレバー３０を離すことによって、スライダ２３からロケートピン２４が飛び出してロックプレート１７の穴１８に嵌入され、スライダ２３をロックプレート１７即ち支柱４に固定することから、その時点でアーム３が固定される（図５）。このとき、スライダ２３から突出するストッパ部材１６もストッパ片８と当接しているので、ロケートピン２４とロックプレート１７の穴１８とは或る程度位置合わせされている。
【００４３】
一方、オーニング１を収容するには倒れた状態のアーム３を引き起こすあるいは押し上げるようにすればよく、これによりアーム３は基端部３ａを下方にスライドさせながら軸４２を中心に補助アーム５を回転させて徐々に起き上がり、支柱４に並び立つ。また、補助アーム５はこの動作に伴い軸４２を中心に外壁１５側に回動し、支柱４内に収容される。このとき、日除けシート２は巻き戻し機構６によって自動的に巻き戻され、巻き取り軸に巻き付く。
【００４４】
ここで、オーニングの開閉時には、ハンドル３１とともにレバー３０を握ることによって、固定手段２２のロック解除と同時にアーム３をハンドル３１を持って操作できるので、片手でも開閉操作ができる。しかも、レバー３１を操作しない限り、ロケートピン２４がロックプレート１７の穴１８に嵌入されてスライダが移動できない状態なので、風に煽られるなどして勝手に閉じたりする誤動作を防止でき、安全性が高まる。
【００４５】
また、オーニング設置に当たってはまず支柱４を外壁の所定位置に配置し、その後アーム３や補助アーム５などを取り付ければよいから設置作業が簡単になる。
【００４６】
なお、上述の実施形態は本発明の好適な実施の一例ではあるがこれに限定されるものではなく本発明の要旨を逸脱しない範囲において種々変形実施可能である。
例えば、本実施形態では折り返し部４ａを有するチャネル状の支柱４を採用しているがこれに特に限定されるものではなく、スライダ２３を離脱不能でかつ上下方向に摺動可能に支持し得るもので、更に外壁に対する当接面積が大きな形状であればどのような形状でも構わず、Ｉ型あるいは⊥型などのアルミニウム型材などからなる支柱を採用しても良い。
【００４７】
例えば、断面Ｉ型の型材から成る支柱４’の場合には、図１０に示すように外壁１５に取り付けられる下辺４ａ’と外壁１５から突き出る上辺４ｂ’との間でスライダ２３’のローラ９を引っかけるようにして外壁１５に沿ってスライダ２３’を摺動可能に装着し、両辺４ａ’，４ｂ’に対して垂直な壁となる辺４ｃ’にスライダ２３に搭載されたロケートピン２４が嵌入する複数の穴１８’を利用して該穴１８’の位置にスライダ２３を固定するように設けても良い。スライダ２３’は、板材を折り曲げることによってあるいは引き抜き材や押し出し材を利用することによって得られたコ形のブロックに２対のローラ９を備え、ロケートピン２４を出入り自在に搭載するものである。ロケートピン２４は、例えば図５に示すものと同様の構造のものでありその詳細な説明は省略するが、筒状のフランジ付きケーシング４７に圧縮コイルばね２７と共に収容されてスライダ２３’の側面に取り付けられている。ケーシング４７の底部にコントロールワイヤ２６のアウターケーシング２６ｂを１対の締め付けナット２６ｃによって固定し、ケーシング内に引き込んだワイヤー２６ａの先端の係留ボール２５をロケートピン２４の係留部２４ｄに引っかけるようにしている。ロケートピン２４は、スライダ２３’のピン出没穴２９から支柱４’の辺４ｃ’へ向けて突出し、フランジ２４ａをスライダ２３’のピン出没穴２９の周縁に当接させることでロケートピン２４の突出を規制するように設けられている。そして、フランジ２４とケーシング４７の底部との間に配置されている圧縮コイルばね２７によって、ロケートピン２４を辺４ｃ’へ向けて突出させる力を常時付勢するように設けられている。コントロールワイヤ２６は図８のレバーによって操作される。この実施形態においては、ロックプレート１７を用いずに、支柱４’に直接開けられた穴１８’にロケートピン２４を嵌入する固定手段２２を構成するようにしている。図示していないが、支柱４’の辺４ｃ’にロックプレート１７をビス止めなどで取り付けるようにしても良い。
【００４８】
また、図示していないが、断面⊥型の支柱を採用する場合には、外壁１５から突き出た辺に外壁１５に沿ったスライダ用の長孔を設け、該長孔を貫通する摺動ピン好ましくは回転ローラのようなものをスライダに備えて支柱と係合する構成にしても良い。そして、上述のケーシング４７に収容されたロケートピン２４と穴１８’とを前述のスライダ用長孔とはオフセットさせて備えるようにする。
【００４９】
更に、ロケートピン２４の操作は、アーム３に取り付けたハンドル３０の中のレバー３１によって行われる場合に限られず、ロケートピン２４をユーザーが直接掴んで操作するようにしていも良い。例えば、図１２に示すように、ロケートピン２４の後端側に握り玉４５を備えた握り棒４６を取付け、該握り棒４５を直接引っ張ることによってロケートピン２４をロックプレート１７の穴１８から引き出してスライダ２３の固定を解除するようにしても良い。ロケートピン２４は握り棒４５を離すとばね２７の力でスライダ２３から突出する
【００５０】
また、図１３に示すように、スライダ２３に開けた穴４８と支柱４にあけた穴１８’とを重ねてロケートピン２４’を通して直接スライダ２３と支柱４とを連結して固定するようにしても良い。
【００５１】
また、本実施形態では支柱４を２本備えたオーニング１について説明したが、これも好適な一例に過ぎず、構造物の本数を適宜増やして構わない。例えば、幅広の日除けシートを採用する場合などには、両端以外に中央にもアームと支柱とを配置し、３組以上のアーム３と支柱４で支持するようにしてもよい。
【００５２】
また、アームの先端の前枠の代わりに自動巻き取り機構の巻き取りローラを備えて一対のアームを連結し、アームの先端に日除けシートを巻き取り外壁側に日除けシートの一端が取り付けられるようにしても良い。この場合には、アームが倒れて日除けシートが張り出された状態では、日除けシートが引き出されているのでアーム先端にかかる日除けシート重量は少なく、アームを引き起こすための力も大きくは必要としない。
【図面の簡単な説明】
【００５３】
【図１】本発明のオーニングの一実施形態を示す全体の概略斜視図である。
【図２】オーニングの正面図である。
【図３】収容状態から使用状態へのオーニングの変形動作を示す側面図である。
【図４】収容状態のオーニングを示す側面図である。
【図５】スライダと支柱のガイドレールとの関係を示す拡大縦断面図である。
【図６】スライダと支柱のガイドレールとの関係を示す横断面図である。
【図７】アームを起てて支柱と並べた状態を示す側面図である。
【図８】ハンドルとコントロールワイヤの操作レバーとの構造を示す拡大縦断面図である。
【図９】ハンドルとアーム並びに補助アームとの関係を示す横断面図である。
【図１０】スライダと支柱のガイドレールとの他の実施形態を示す斜視図である。
【図１１】図１０の実施形態のスライダと支柱とを固定する固定手段部分の拡大縦断面図である。
【図１２】スライダのロケートピンの操作機構の他の実施形態を示す拡大縦断面図である。
【図１３】スライダと支柱とを固定する固定手段の他の実施形態を示す斜視図である。
【図１４】屈伸可能なアームを有する従来のオーニングの構造を示す斜視図である。
【図１５】壁面から倒れる形式のアームを有する従来のオーニングの概略構造を示す側面図である。
【符号の説明】
【００５４】
１  オーニング
２  日除けシート
３  アーム
３ａ  基端部
４  支柱
５  補助アーム
５ａ  基端部
５ｂ  先端部
６  巻き戻し機構
１５  外壁
１７  ロックプレート
１８，１８’，４８  ロケートピンが挿入される穴
２２  固定手段
２３，２３’スライダ
２４，２４’  ロケートピン
２６  ワイヤ
３０  ハンドル
３１  レバー
【図１】
2005023761.tif 000003
【図２】
2005023761.tif 000004
【図３】
2005023761.tif 000005
【図４】
2005023761.tif 000006
【図５】
2005023761.tif 000007
【図６】
2005023761.tif 000008
【図７】
2005023761.tif 000009
【図８】
2005023761.tif 000010
【図９】
2005023761.tif 000011
【図１０】
2005023761.tif 000012
【図１１】
2005023761.tif 000013
【図１２】
2005023761.tif 000014
【図１３】
2005023761.tif 000015
【図１４】
2005023761.tif 000016
【図１５】
2005023761.tif 000017